【事件の表示】
　特許第３１００４３０号「画像読取り装置」の請求項１、２に係る特許に対する特許異議の申立てについて、次のとおり決定する。
【結　論】
　訂正を認める。
　特許第３１００４３０号の請求項１ないし２に係る特許を取り消す。
【理　由】
１．手続の経緯
　特許第３１００４３０号の請求項１ないし２に係る発明は、平成３年９月１０日に特許出願され、平成１２年８月１８日に特許権の設定登録がなされたものであり、その後特許異議申立人より本件特許の全請求項に係る発明に対して特許異議の申立がなされ、当審より取消理由が通知され、その指定期間内である平成１３年９月４日に特許権者より意見書とともに訂正請求書が提出され、その訂正請求書に記載の明細書の全請求項に係る発明に対して当審より再度の取消理由が通知され、その指定期間内である平成１３年１２月１１日に特許権者より意見書が提出されたものである。
　
２．訂正の適否についての判断
（１）特許権者が、訂正請求書において求めている訂正の内容は、次のとおりである。
（a）明細書の特許請求の範囲の請求項１の記載について
　「 【請求項１】　原稿画像を読取る固体撮像素子と、前記固体撮像素子により所定解像度の１／ｎ（ｎは正整数）の解像度で前記原稿画像を読取る場合に前記固体撮像素子の駆動クロック周波数を前記所定解像度で読取る周波数のｎ倍にするとともに、前記固体撮像素子のリセットタイミングを前記所定解像度で前記原稿画像を読取る場合のリセットタイミングと同じにすることにより、前記固体撮像素子の隣接するｎ個の画素の信号を加算合成して出力するように制御する駆動制御手段とを備えたことを特徴とする画像読取り装置。」
を
　「請求項１】原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、
前記シフトパルス、前記駆動クロックパルス及び前記リセットパルスを前記ＣＣＤイメージセンサに供給する駆動制御手段であって、前記ＣＣＤイメージセンサにより所定解像度の１/ｎ(ｎは正整数)の解像度で前記原稿画像を読取る場合に、前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより、前記ＣＣＤイメージセンサの隣接するｎ個の画素の信号を加算合成し、前記所定解像度で原稿画像を読取る場合と相対的に同じ光蓄積時間かつ同じ画像出力レートで画像データを出力させるように前記を制御する駆動制御手段とを備えたことを特徴とする画像読取り装置。」
と訂正する。
（b）同請求項２の記載について
　「固体撮像素子」
を
　「ＣＣＤイメージセンサ」
と訂正する。
（c）明細書の段落【０００７】記載について
　「【０００７】
　　【課題を解決するための手段】
　本発明は、 原稿画像を読取る固体撮像素子と、前記固体撮像素子により所定解像度の１／ｎ（ｎは正整数）の解像度で前記原稿画像を読取る場合に前記固体撮像素子の駆動クロック周波数を前記所定解像度で読取る周波数のｎ倍にするとともに、前記固体撮像素子のリセットタイミングを前記所定解像度で前記原稿画像を読取る場合のリセットタイミングと同じにすることにより、前記固体撮像素子の隣接するｎ個の画素の信号を加算合成して出力するように制御する駆動制御手段とを備えたことを特徴とする。」
を
　「【０００７】
　　【課題を解決するための手段】
　本発明は、原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、前記シフトパルス、前記駆動クロックパルス及び前記リセットパルスを前記ＣＣＤイメージセンサに供給する駆動制御手段であって、前記ＣＣＤイメージセンサにより所定解像度の１/ｎ(ｎは正整数)の解像度で前記原稿画像を読取る場合に、前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより、前記ＣＣＤイメージセンサの隣接するｎ個の画素の信号を加算合成し、前記所定解像度で原稿画像を読取る場合と相対的に同じ光蓄積時間かつ同じ画像出力レートで画像データを出力させるように前記ＣＣＤイメージセンサを制御する駆動制御手段とを備えたことを特徴とする。」
と訂正する。
（２）訂正の目的の適否、新規事項の有無及び特許請求の範囲の拡張・変更の存否
　(a)については、請求項１で訂正しようとしている点は、明細書の段落【００２２】ないし【００２４】と図面図２に記載されている事項および当業者の常識的事項について限定するものと認められ、特許時の請求項１で限定されていた点から逸脱する点は見あたらず、また、先の取消理由通知で指摘の記載不備という点も解消したと認められるから、特許請求の範囲の減縮及び明りょうでない記載の釈明を目的とし、新規事項および特許請求の範囲の拡張・変更もない。
　(b)については、「ＣＣＤイメージセンサ」は原稿を読み取るもので「固体撮像素子」の１種であり、特許明細書に記載されているものであるから、特許請求の範囲の減縮を目的とし、新規事項および特許請求の範囲の拡張・変更はない。
　(c)については、発明の詳細な説明中の記載を、請求項１の訂正に伴ってこれと整合するように訂正しようとするものであるから、明りょうでない記載の釈明を目的とし、新規事項および特許請求の範囲の拡張・変更はない。
　
（３）むすび
　以上のとおり、本件訂正は、特許法第１２０条の４第２項及び同条第３項で準用する同報第１２６条第２項及び第３項の規定に適合するので、本件訂正を認める。
　
３．特許異議の申立について
（１）本件発明
　特許第３１００４３０号の請求項１ないし２に係る発明は、訂正が認められるので、訂正後の特許請求の範囲に記載された次のとおりのものと認められる。
「【請求項１】原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、
前記シフトパルス、前記駆動クロックパルス及び前記リセットパルスを前記ＣＣＤイメージセンサに供給する駆動制御手段であって、前記ＣＣＤイメージセンサにより所定解像度の１/ｎ(ｎは正整数)の解像度で前記原稿画像を読取る場合に、前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより、前記ＣＣＤイメージセンサの隣接するｎ個の画素の信号を加算合成し、前記所定解像度で原稿画像を読取る場合と相対的に同じ光蓄積時間かつ同じ画像出力レートで画像データを出力させるように前記を制御する駆動制御手段とを備えたことを特徴とする画像読取り装置。
【請求項２】請求項１において、前記原稿画像を前記ＣＣＤイメージセンサに対して相対的に副走査方向に移動する移動手段をさらに有し、前記所定解像度の１/ｎの解像度で読取る場合に、前記移動手段による副走査方向の移動速度をｎの２乗にすることを特徴とする画像読取り装置。 」
　
（２）特許異議申立人の異議申立の理由及び当審が通知した取消理由の概要
　特許異議申立人は、特許第３１００４３０号の請求項１ないし２に係る発明は、甲第１号証（特開昭６４−３７１５９号公報）に記載された発明に基づいて当業者が容易に発明をすることができたものであるから、特許法第２９条第２項の規定により特許を受けることができず、従って、特許第３１００４３０号の請求項１ないし２に係る発明についての特許は取り消されるべきである旨主張した。当審では、特許された発明についての特許請求の範囲の記載も含めて明細書の記載に不明確な点があるとして旧特許法第３６条第４項並びに第５項及び第６項に規定する要件を満たしていないとして先の取消理由を通知し、これに対応して特許権者が提出した訂正請求書に記載の訂正明細書については、旧特許法第３６条第４項並びに第５項及び第６項に規定する要件は満たすものとなったが、訂正後の請求項１ないし２に係る発明は、刊行物１（上記甲第１号証）に記載された発明に基づいて当業者が容易に発明をすることができたものであるから、特許法第２９条第２項の規定により特許を受けることができないものである旨の再度の取消理由を通知したものである。
　
（３）刊行物１に記載の発明
　刊行物１には、次のような記載がある。
ａ．「（産業上の利用分野)この発明は、原稿画像を光電変換して読み取る画像議取り装置に関するものである.。」
ｂ．「(発明が解決しようとする問題点)ところが、ユーザ側の立場として、高分解能の画像読取りよりも、ある程度の分解能で高速な読み取りを必要とする要求に対して、高分解能の画像続取り装置は、分解能値があらかじめ設定されたレベルに設定されるため充分に対応できない問題があった.
　・・・（中略）・・・
　この発明は、上記の問題点を解消するためになされたもので、撮像素子への電荷蓄積時間を設定される分解能値に応じて可変して主走査方向の分解能を変更するとともに、設定される分解能値に応じて撮像素子の副走査方向に対する分解能を並行して変更することにより、読み取り原稿の主走査方向および副走査方向に対して均等に分解能を変更しながら原稿読み取りを行える原稿読取り装置を得ることを目的とする。」.
ｃ．「(作用)この発明においては、タイミング調整手段は、分解能設定手段により分解能値が設定されると、設定された分解能値に基づいて撮像手段のリセットタイミングを調整し、蓄積時間調整手段は、分解能設定手段により分解能値が設定されると、設定された分解能値に基づいて蓄積手段に蓄積されるシリアル画像信号の蓄積時間を調整し、移動速度調整手段は、分解能設定手段により設定された分解能値に基づいて移動手段の副走査方向移動速度を調整する。」
ｄ．図面として、第１図にこの発明の一実施例を示す画像読取り装置の構成を説明する平面図が、第２図に第１図に示した画像読取り装置の制御構成を説明する回路ブロック図が、第３図に第２図の動作を説明するタイミングチャートが、第４図に第２図に示したラインセンサ部の１ラインデータ入力サイクルを説明するタイミングチャートが、第５図にその発明による原稿読取り制御手段を説明するフローチャートが、それぞれ記載されている。
　
　そして、「作用」と「実施例」欄の説明を図面の記載を参照してみると次のような技術開示があるということができる。
　ラインセンサ部９とバッファ１５とで原稿画像を読取るＣＣＤラインセンサを構成し、ラインセンサ部９中のセンサSN、SN-1、SN-2、・・・は入射光量に応じて電荷を発生し、このセンサで発生した電荷はシフトレジスタSRN、SRN-1、SRN-2、・・・に転送されシフトレジスタの最後のものから出力される電荷がバッファ１５に入力されるようになっていて、クリアゲートパルスで電荷をクリアした後に前記センサで発生した電荷を転送パルスによりシフトレジスタに転送することで各センサの光蓄積時間を制御すると共に、シフトレジスタに転送された電荷をシフトクロック毎にバッファ１５に転送し、バッファに転送された電荷をリセットパルス毎にリセットすると共に、リセットパルスに同期してバッファの電荷をサンプルホールド回路１６でサンプリングしてアナログ増幅器１７以下に画像データとして出力されるようにした部分と、転送パルス、シフトクロック、及びリセットパルスをラインセンサ部とバッファに供給するマイクロコンピュータ１９とクロック回路２１であって、ラインセンサー部とバッファーで所定分解能値Ｋを１としたとき１／Ｋの時間となるようにクリアゲートパルス、転送パルスの周期が制御され、リセットパルスによるリセット周期は分解能値に対応した時間とすることにより、ラインセンサ部のシフトレジスタの隣接するＫ個の信号を加算合成するようにしてアナログ増幅回路以下に画像データとして出力させるようにるようにしてラインセンサ部９とバッファ１５とを制御するマイクロコンピュータ１９とクロック回路２１を備えた画像読取り装置。
　副走査方向の駆動は、１ライン読取る毎に分解能値Ｋと同数のＫ画素分移動させ、移動速度はＫ２倍となるように設定する。
　
（３）本件発明と刊行物１に記載された発明との対比・判断
　本件請求項１に係る発明について
　本件請求項１に係る発明と刊行物１に記載された発明とを対比すると、刊行物１における「ＣＣＤラインセンサ」、「センサ」、「シフトレジスタ」、「転送パルス」、「シフトクロック」、「アナログ増幅回路」、「マイクロコンピュータとクロック回路」が、それぞれ本件請求項１に係る発明の「ＣＣＤイメージセンサ」、「受光部」、「転送部」、「シフトパルス」、「駆動クロックパルス」、「次段」、「駆動制御手段」に相当することは明らかであり、また、「周期」は「周波数」の逆数であり、刊行物１における（所定分解能値を１としたときの）分解能値Ｋは、本件請求項１に係る発明における所定解像度の１／ｎの解像度という表現と同じことを意味していることは明らかであるから、両発明は、「原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、
前記シフトパルス、前記駆動クロックパルス及び前記リセットパルスを前記ＣＣＤイメージセンサに供給する駆動制御手段であって、前記ＣＣＤイメージセンサにより所定解像度の１/ｎ(ｎは正整数)の解像度で前記原稿画像を読取る場合に、前記ＣＣＤイメージセンサの隣接するｎ個の画素の信号を加算合成し、画像データを出力させるように前記（ＣＣＤイメージセンサ）を制御する駆動制御手段とを備えたことを特徴とする画像読取り装置。」
の点で一致し、次の２点で一応相違するということができる。
　（ア）ＣＣＤイメージセンサの隣接するｎ個の画素の信号を加算合成を、本件請求項１に係る発明が「前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより」行うようにしているのに対して、刊行物１に記載された発明は「所定分解能値Ｋを１としたとき１／Ｋの時間となるようにシフトパルス（クリアゲートパルス、転送パルス）の周期が制御され、リセットパルスによるリセット周期は分解能値Ｋに対応した時間とする」ことにより行うようにしている点。
　（イ）画像データの出力を、本件請求項１に係る発明が「所定解像度で原稿画像を読取る場合と相対的に同じ光蓄積時間かつ同じ画像出力レートで」行うようにしているのに対して、刊行物１に記載された発明は刊行物１に直接の言及がない点で明らかでない点。
　そこでこれらの相違点について検討する。
　（ア）については、上記したように「周期」は「周波数」の逆数であるから、刊行物１のものも、転送パルス（シフトパルス）の周波数を前記所定解像度で前記原稿画像を読取る場合のｎ倍に上げているということができる。そして、刊行物１の明細書及び図面の記載からみて、シフトクロック（駆動クロックパルス）のクロック幅Ｔ（波形の変化点でシフトさせるものであるからこの幅Ｔが周期に相当するということができる。）については、シフトレジスタ中の信号のシフトが確実に行われさえすれば動作上クロック幅についての制約はないと考えられるとともに、１ラインデータ入力サイクルに当たるクリアゲートパルス（シフトパルス）の周期は分解能値に反比例するようにする旨記載されているから、駆動クロックパルス（シフトクロック）のクロック幅も転送パルス（クリアゲートパルスと転送パルス）の周期に比例するようにする、すなわち、駆動クロックパルス（シフトクロック）の周波数を解像度に応じてそれに反比例するようにすることは当業者が容易に推考できる程度のものであって、その際に、サンプルパルスとリセットパルスは分解能値に比例した駆動クロックパルス（シフトクロック）の個数シフトしてからサンプルしリセットする必要があり、したがってサンプルパルスとリセットパルスを解像度（分解能値）に応じず一定とすべきことはその動作を考えると明らかであるから、結局、ＣＣＤイメージセンサの隣接するｎ個の画素の信号を加算合成を、本件請求項１に係る発明の如く「前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより」行うようにすることは、当業者が容易に推考できたものと認められる。
　（イ）については、刊行物１のものも上記（ア）についての検討から明らかなように、個々のセンサに蓄積される電荷の蓄積時間を１／Ｋとし駆動クロックパルス（シフトクロック）Ｋ個毎にリセットするようにすれば、画像データの出力すなわちリセット毎の出力は、解像度（分解能値）を変えても同じ光蓄積時間かつ同じ画像出力レートで行われることになるから、刊行物１のものにおいても、本件請求項１に係る発明の如く「所定解像度で原稿画像を読取る場合と相対的に同じ光蓄積時間かつ同じ画像出力レートで」行うようになるということができる。
　したがって、訂正後の請求項１に係る発明は、上記刊行物１に開示の発明に基づいて当業者が容易になし得たものと認められる。
　
　訂正後の請求項２について
　上記刊行物１には、分解能値Ｋのときに副走査方向の移動速度をＫ２倍すなわち分解能値Ｋの自乗倍（２乗倍）とすることが記載されているから、訂正後の請求項２に係る発明も、上記刊行物１に開示の発明に基づいて当業者が容易になし得たものであることは明らかである。
　
　特許権者は、平成１３年１２月１１日付け意見書において、再度の取消理由で指摘した「刊行物１には１ラインデータ入力サイクルに当たるクリアゲートパルスと転送パルスの周期は分解能値に反比例するようにする旨記載されている」は誤解であり、これを前提とするいわゆる容易性の判断は誤っている旨主張している。
　しかしながら、特許権者の主張は以下の理由で採用できない。
　すなわち、特許権者は、刊行物１の「１／Ｋの蓄積時間になるように、クリアゲートパルスφｃ、転送パルスΦＴの周期がマイクロコンピュータ１９により制御されている。」という記載中の「周期」を「間隔」と言い換えていることから、この文章を分解能値Ｋを変えても２つのパルスの周期（その逆数の周波数）自体は変らずに両パルス間の「位相」が変わる趣旨と捉えているようであるが、Ａパルス、Ｂパルスの周期が制御される、といえば、通常はＡパルスの周期とＢパルスの周期それぞれが制御されることを意味し、周期は一定でＡパルスとＢパルスの互いの位相関係が制御されることは意味しない。そして、特許権者が捉えているように周期（それらの逆数である周波数）は一定でＡパルスとＢパルスの互いの位相関係が制御されることを表すときには、簡単には、Ａパルス、Ｂパルスの位相が制御されると表現するのが普通である。
　そこで、常識的にクリアゲートパルスの周期と転送パルスの周期それぞれが制御されると解して、刊行物１に記載の技術事項に矛盾が生じたり当業者に理解できない事項が生じたりしないか検討してみても、特段そのようなことは生じない。
　ちなみに、刊行物１にはクリアゲートパルスが発生してから転送パルスが発生するまでの蓄積時間は分解能値Ｋによって決定される旨説明されており、この説明によれば特許権者が捉えたように、クリアゲートパルスと転送パルスの周期は一定でクリアゲートパルスと転送パルスの互いの位相関係が制御されること意味していると捉えられる余地がある。
　しかしながら、刊行物１の図面第４図の記載は、１ラインデータ入力サイクルはクリアゲートパルスの１周期となっているから、クリアゲートパルスと転送パルスの周期を一定とすることは１ラインデータ入力サイクルが一定時間となることに帰着するが、この１ラインデータ入力サイクル中に１ラインの読取り動作だけでなく次のライン位置への副走査も行われ、１ラインデータ入力サイクルが終了するとすぐに次の１ラインのデータ入力サイクルが行われるものであるから、副走査のための時間も含めた１ラインデータ入力サイクルが一定時間となることは、いわゆる１ラインの読取りに必要な動作の速度のみならず副走査ステップ駆動の速度を上げても原稿の読取りに必要な時間は変わらないこととなって、結局、分解能値を落とすかわりに読取り速度を上げることができるようにするという刊行物１の発明の目的が全く達成できないこととなるから、クリアゲートパルスと転送パルスの周期は一定でクリアゲートパルスと転送パルスの互いの位相関係が制御されるものと解することはできない。
　尚、刊行物１の第５図に基づいた読み取り制御動作の説明で、(5)「サンプルホールドの終了」及び(6)「１ラインデータ入力サイクル終了？」についてのフローはそれ以前に記載の動作の説明と一致しておらず、第５図の記載を基に考えると、「クリアゲートパルスと転送パルスの周期」中の「周期」を「周期」の意味としても「位相」の意味としても複数ラインある原稿をどのように読取れるのか動作が分からなくなるから、第５図の(5)、(6)のところの記載は誤記と認められる。
　
　(4)　むすび
　以上から明らかなように、本件請求項１、２に係る特許は、拒絶の査定をしなければならない特許出願に対してなされたものと認められる。
　よって、特許法等の一部を改正する法律（平成６年法律第１１６号）附則第１４条の規定の基づく、特許法等の一部を改正する法律の一部の施行に伴う経過措置を定める政令（平成７年政令第２０５号）第４条第１項及び第２項の規定により、結論のとおり決定する。
【異議決定日】
平成１４年１月１６日（２００２．１．１６）
【訂正の要旨】
（ａ）明細書の特許請求の範囲の請求項１の記載について
　「　【請求項１】　原稿画像を読取る固体撮像素子と、前記固体撮像素子により所定解像度の１／ｎ（ｎは正整数）の解像度で前記原稿画像を読取る場合に前記固体撮像素子の駆動クロック周波数を前記所定解像度で読取る周波数のｎ倍にするとともに、前記固体撮像素子のリセットタイミングを前記所定解像度で前記原稿画像を読取る場合のリセットタイミングと同じにすることにより、前記固体撮像素子の隣接するｎ個の画素の信号を加算合成して出力するように制御する駆動制御手段とを備えたことを特徴とする画像読取り装置。」
を、特許請求の範囲の減縮及び明りょうでない記載の釈明を目的として、
　「請求項１】原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、
前記シフトパルス、前記駆動クロックパルス及び前記リセットパルスを前記ＣＣＤイメージセンサに供給する駆動制御手段であって、前記ＣＣＤイメージセンサにより所定解像度の１／ｎ（ｎは正整数）の解像度で前記原稿画像を読取る場合に、前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより、前記ＣＣＤイメージセンサの隣接するｎ個の画素の信号を加算合成し、前記所定解像度で原稿画像を読取る場合と相対的に同じ光蓄積時間かつ同じ画像出力レートで画像データを出力させるように前記を制御する駆動制御手段とを備えたことを特徴とする画像読取り装置。」
と訂正する。
（ｂ）同請求項２の記載について
　「固体撮像素子」
を、特許請求の範囲の減縮を目的として、
　「ＣＣＤイメージセンサ」
と訂正する。
（ｃ）明細書の段落【０００７】記載について
　「【０００７】
　【課題を解決するための手段】
　本発明は、　原稿画像を読取る固体撮像素子と、前記固体撮像素子により所定解像度の１／ｎ（ｎは正整数）の解像度で前記原稿画像を読取る場合に前記固体撮像素子の駆動クロック周波数を前記所定解像度で読取る周波数のｎ倍にするとともに、前記固体撮像素子のリセットタイミングを前記所定解像度で前記原稿画像を読取る場合のリセットタイミングと同じにすることにより、前記固体撮像素子の隣接するｎ個の画素の信号を加算合成して出力するように制御する駆動制御手段とを備えたことを特徴とする。」
を、明りょうでない記載の釈明を目的として、
　「【０００７】
　【課題を解決するための手段】
　本発明は、原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、前記シフトパルス、前記駆動クロックパルス及び前記リセットパルスを前記ＣＣＤイメージセンサに供給する駆動制御手段であって、前記ＣＣＤイメージセンサにより所定解像度の１／ｎ（ｎは正整数）の解像度で前記原稿画像を読取る場合に、前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより、前記ＣＣＤイメージセンサの隣接するｎ個の画素の信号を加算合成し、前記所定解像度で原稿画像を読取る場合と相対的に同じ光蓄積時間かつ同じ画像出力レートで画像データを出力させるように前記ＣＣＤイメージセンサを制御する駆動制御手段とを備えたことを特徴とする。
」
と訂正する。
（５４）【発明の名称】
画像読取り装置
（５７）【特許請求の範囲】
　【請求項１】　原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、
前記シフトパルス、前記駆動クロックパルス及び前記リセットパルスを前記ＣＣＤイメージセンサに供給する駆動制御手段であって、前記ＣＣＤイメージセンサにより所定解像度の１／ｎ（ｎは正整数）の解像度で前記原稿画像を読取る場合に、前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより、前記ＣＣＤイメージセンサの隣接するｎ個の画素の信号を加算合成し、前記所定解像度で原稿画像を読取る場合と相対的に同じ光蓄積時間かつ同じ画像出力レートで画像データを出力させるように前記を制御する駆動制御手段と
を備えたことを特徴とする画像読取り装置。
　【請求項２】　請求項１において、前記原稿画像を前記ＣＣＤイメージセンサに対して相対的に副走査方向に移動する移動手段をさらに有し、前記所定解像度の１／ｎの解像度で読取る場合に、前記移動手段による副走査方向の移動速度をｎの２乗にすることを特徴とする画像読取り装置。
【発明の詳細な説明】
　【０００１】
　【産業上の利用分野】
　本発明は、原稿を団体撮像素子により読取る画像読取り装置、特に連続して搬送されるシート状の原稿を固体撮像素子により連続して高速に読取る画像読取り装置に関するものである。
　【０００２】
　【従来の技術】
　画像情報をデジタル信号化し、光ディスクあるいは光磁気ディスク等のファイル媒体に蓄積記憶し、必要に応じて検索し、読出した画像情報を再生しプリントあるいはディスプレイを行なう画像情報ファイル装置が種々提案され、実用化されている。
　【０００３】
　このような画像情報ファイル装置においては、通常は、団体撮像素子、例えば、高画素数のＣＣＤイメージセンサにより原稿画像を４００ｄｐｉ（ｄｏｔｓ　ｐｅｒ　ｉｎｃｈ）以上の高解像度で読取り、外部ファイル装置に蓄積記憶し、必要に応じて検索し、再生出力する画像の忠実度の高い画像情報ファイル装置を構築する場合が多い。他方、現行の光磁気ディスク等の外部ファイル装置の容量では、前述の４００ｄｐｉ以上の高解像度で読取った原稿画像を大量に蓄積記憶するにはまだ不十分である。また、原稿画像の入力速度を速めるため、多少画像の品位を落してもより大量の画像情報を高速に蓄積記憶しようとする用途も多く、その場合には、２００ｄｐｉ以下の低解像度で読取ることとなる。したがって、現実の画像情報ファイル装置においては、原稿画像の読取り解像度を例えば４００ｄｐｉ，２００ｄｐｉ，１００ｄｐｉ等のいずれかに切換えて選択できるように構成するのが一般的である。
　【０００４】
　すなわち、複数の画像読取り解像度を切換えて選択できるような画像読取り装置を構成するために、選択可能な複数解像度のうち最高解像度に対応する高画素数のＣＣＤイメージセンサを用意し、低解像度で読取る場合には、主走査方向についてはＣＣＤイメージセンサから順次出力される画素出力のうち不要な画素出力を間引いて所定の低解像度を得、一方、副走査方向については、原稿画像とＣＣＤイメージセンサ間の相対移動速度を速める方法により対応するのが一般的であった。
　【０００５】
　【発明が解決しようとする課題】
　しかしながら、上記従来例では、主走査側の解像度を落す方法として、一度最高解像度でＣＣＤイメージセンサの全画素を読出した上で、不要な画素を間引いて捨ててしまう方法をとるため、ＣＣＤイメージセンサの画素の使用効率の低下を招き、低解像度読取り時の読取り速度を速くする場合に大きな制約となっていた。例えば、同一原稿を４００ｄｐｉと２００ｄｐｉの２つの異なる解像度で読取る場合を例に考えると、２００ｄｐｉの場合は、４００ｄｐｉの場合に比べて読出す総画素数の１／４になるので、ＣＣＤイメージセンサの全画素を効率良く用いれば、副走査側の速度を４倍にできるはずである。しかし、この場合、上述したように、主走査側の走査時に画素の１／２を捨ててしまうため、実際には副走査側の速度は２倍だけしか速くすることができない。ここで、ＣＣＤイメージセンサの駆動クロック周波数を２倍に上げれば、副走査側の速度を４倍にすることはできるが、この場合には、ＣＣＤイメージセンサの各画素の光蓄積時間が１／２となってしまう。このため、それに対する対策として、原稿の照射光量を２倍にする等が必要となり、コストアップを招くのみならず、光源に余裕がない場合は副走査側、すなわち原稿の読取り速度を速くすることは不可能である。
　【０００６】
　本発明の目的は、上述のような問題点を解決し、光蓄積時間を変化させることなく読取り速度をより速くすることができる画像読取り装置を提供することにある。
　【０００７】
　【課題を解決するための手段】
　本発明は、原稿画像を読取るＣＣＤイメージセンサであって、入射光量に応じて電荷を発生する受光部と、前記受光部で発生した電荷を出力部に転送する転送部とを備え、前記受光部で発生した電荷をシフトパルスにより前記転送部にシフトすることで各画素の光蓄積時間を制御すると共に、前記転送部にシフトされた電荷を駆動クロックパルス毎に前記転送部から出力部に転送し、前記出力部に転送された電荷をリセットパルス毎にリセットすると共に、前記リセットパルスに同期して前記出力部の電荷をサンプリングして次段に画像データとして出力するように構成されたＣＣＤイメージセンサと、
　前記シフトパルス、前記駆動クロックパルス及び前記リセットパルスを前記ＣＣＤイメージセンサに供給する駆動制御手段であって、前記ＣＣＤイメージセンサにより所定解像度の１／ｎ（ｎは正整数）の解像度で前記原稿画像を読取る場合に、前記駆動クロックパルスの周波数及び前記シフトパルスの周波数を前記所定解像度で前記原稿画像を読取る場合のｎ倍に上げるとともに、前記リセットパルスによるリセット周期を前記所定解像度で前記原稿画像を読取る場合と同じ周期に保つことにより、前記ＣＣＤイメージセンサの隣接するｎ個の画素の信号を加算合成し、前記所定解像度で原稿画像を読取る場合と相対的に同じ光蓄積時間かつ同じ画像出力レートで画像データを出力させるように前記ＣＣＤイメージセンサを制御する駆動制御手段と
を備えたことを特徴とする。
　【０００８】
　【実施例】
　以下、図面を参照して本発明の実施例を詳細に説明する。
　【０００９】
　図１は本発明の一実施例を示す。
　【００１０】
　図において、１はシート状の原稿ｐを読取るＣＣＤイメージセンサである。２は原稿の表面を照射する光源であり、図示しない光量制御回路により、常に一定光量になるように制御されている。３はＣＣＤ駆動タイミングコントロール回路であり、図示しないＭＰＵ（マイクロプロセッサーユニット）バスより指定された読取り解像度に応じて後述する各信号群を供給する。４ａ，４ｂは各々シート状の原稿を搬送するための搬送ローラであり、５は原稿送り用モータである。６は原稿送りモータ制御／駆動回路であり、図示しないＭＰＵバスより指定された一定の搬送速度で原稿を送る様モータの制御を行なうものである。７はＣＣＤイメージセンサ１の読取ったアナログ画像信号を必要なレベルに増幅する増幅器である。８は画像２値化回路で、増幅器７により増幅されたアナログ画像信号をＡ／Ｄ（アナログ・デジタル）変換して、デジタル多値画像データに変換し、さらに画質改善のための必要なデジタル画像処理（例えば、シェーディング補正，エッジ強調処理等）を施した後、デジタル・コンパレータ等で最終的には２値画像データを生成するものである。９は２系統の２値画像データのうち１本を選択して、次段に出力する入力切換回路である。１０は画像データ圧縮（符号化）回路であり、入力切換回路９により選択された２値画像データを符号化データ圧縮処理するものである。１１は画像データ伸長（復号化）回路であり、上記の符号化された画像データを復号して原２値画像データを復原，再生処理するものである。１２は画像データ圧縮回路１０の出力する符号化画像データを一時的に蓄積記録しておくための（符号化）画像データ用バッファＲＡＭである。１３はＳＣＳＩ（スモール・コンピュータ・システム・インタフェース）バスとの間のデータ転送制御を行なうＳＣＳＩバス転送制御回路であり、１４は符号化画像データを最終的に出力するＳＣＳＩバスである。１５は画像データ転送制御回路（ＤＭＡ転送制御回路）であり、上記の各デバイス間の符号化画像データの転送制御を行なうものである。１６は画像表示装置であり、２値画素データ列を２次元に展開して可視画像を再生するものである。
　【００１１】
　次に、本実施例装置の動作を説明する。
　【００１２】
　ＣＣＤイメージセンサ１で読取られたアナログ画像データは、増幅器７により必要な信号レベルに増幅された後、画像２値化回路８によりアナログ画像データがＡ／Ｄ変換されてデジタル多値画像データに変換される。さらに、画質改善のための必要なデジタル画像処理を施した後、２値化処理される。
　【００１３】
　原稿読取り時には、入力切換回路９がＣＣＤイメージセンサ側の２値画像データ側に接続されるため、ＣＣＤイメージセンサにより連続して読取られた画像データに基づき、画像表示装置１６上に逐次モニター画像が表示されると同時に、読取られた画像データは画像データ圧縮回路１０に送られ、符号化圧縮処理される。符号化の方法として、公知の技術であるＭＨ（Ｍｏｄｉｆｉｅｄ　Ｈｕｆｆｍａｎ）方式，ＭＲ（Ｍｏｄｉｆｉｅｄ　Ｒｅａｄ）方式，ＭＭＲ（Ｍｏｄｉｆｉｅｄ　ＭＲ）方式等が使用可能である。
　【００１４】
　画像データ圧縮回路１０により生成された符号化画像データは、画像データ転送制御回路１５の制御下で画像データ用バッファＲＡＭ１２内に一時蓄積記憶される。そして、１枚の原稿読取り終了後、再度、画像データ転送回路１５の制御により画像データ用バッファＲＡＭ１２から読出されて、ＳＣＳＩバス転送制御回路１３に送られ、最終的にＳＣＳＩバス１４上に出力され、光磁気ディスク装置１７上に蓄積記憶される。
　【００１５】
　次に、光磁気ディスク装置１７上に蓄積記憶されている符号化画像データを読出す場合の動作を説明する。
　【００１６】
　まず、光磁気ディスク装置１７上に蓄積記憶されている符号化画像データは、ＳＣＳＩバス転送制御回路１３によりＳＣＳＩバス１４を経て読出され、画像データ転送制御回路１５の制御により画像データ用バッファＲＡＭ１２内に一時蓄積される。次に、上記符号化画像データは画像データ転送制御回路１５の制御により画像データ用バッファＲＡＭ１２から読出され、画像データ伸長回路１１に送られ、復号化，伸長処理される。
　【００１７】
　画像再生出力時には、入力切換回路９が画像データ伸長回路１１側に接続されるため、復号された元２値画像データは入力切換回路９を経て画像表示装置１６に送られ、画像表示装置１６に再生画像が表示される。
　【００１８】
　以上が本実施例の画像読取り装置の画像読取り時および蓄積画像再生出力時の基本動作である。
　【００１９】
　次に、本実施例の画像読取り装置の読取り解像度を変更した場合のＣＣＤ駆動タイミング・コントロール回路３の駆動タイミングを詳細に説明する。
　【００２０】
　図２は本発明実施例のＣＣＤ駆動方式の説明図であり、図２（ａ）には高解像度読取り時のＣＣＤ駆動パルス波形群を示し、図２（ｂ）には低解像度（高解像度時の１／２の解像度）時のＣＣＤ駆動パルス波形群を示す。
　【００２１】
　各画素の蓄積光量に対応する信号電荷は、ＣＣＤ駆動クロックφ１，φ２の変化点で次段に転送され、最終的にはＣＣＤの転送部より出力部へ送られる。出力部に蓄積されたアナログ信号電荷は、リセットパルスの立上りエッジでサンプリングされ次段に送られる。次に、出力部に蓄積されたアナログ信号電荷は、リセットパルス期間中に放出され、次の信号電荷の受入れ準備が行なわれる。
　【００２２】
　低解像度（すなわち、高解像度の１／２の解像度）時においては、高解像度時の２倍の周波数（１／２の周期時間）の基準クロックをＣＣＤ駆動タイミング・コントロール回路３に対して与えるため、ＣＣＤ駆動パルスφ１およびφ２の周期は１／２になり、信号電荷の出力レートが２倍となる。一方、出力部に蓄積された信号電荷を放出するリセットパルスは、高解像度時と同一タイミングを保つため、２画素分の信号電荷出力に対し１パルスの割合で出力される。従って、結果として出力部においては隣接する２個の画素の信号電荷出力に加算合成され、次段に出力されることとなる。
　【００２３】
　一方、基準クロックの周波数を２倍に上げたため、当然、シフト開始パルスの周期が１／２になり、各画素毎の光蓄積時間（ｌｕｘ／ｓｅｃ）が１／２になり、２個の画素信号電荷出力の加算合成後の光蓄積時間を相対的に同一に保つことが可能である。また、２個の画素信号電荷出力を加算合成したことで、基準クロックを２倍にしたにもかかわらず、次段の回路に対する画像データの出力レートも高解像度時と同一に保つことが可能である。また、同時に副走査側の速度（すなわち、原稿の搬送速度）を高解像度時の４（＝２２）倍にすることで、副走査側の解像度を主走査側に対応させることが可能であるので、この場合には、原稿送りモータ制御／駆動回路６はモータ５に対して高解像度時の４倍の速度で原稿を搬送する様制御を行なう。
　【００２４】
　【発明の効果】
　以上説明したように、本発明によれば、上記のように構成したので、光蓄積時間を変化させることなく、低解像度での読取り速度を高速化することができる
【図面の簡単な説明】
　【図１】
　本発明の一実施例を示すブロック図である。
　【図２】
　本発明実施例のＣＣＤ駆動方式を説明するためのタイミングチャートである。
　【符号の説明】
　１　原稿読取り用ＣＣＤイメージセンサ
　２　原稿照射用光源
　３　ＣＣＤ駆動タイミング・コントロール回路
　５　原稿送り用モータ
　６　原稿送りモータ制御／駆動回路
　８　画像２値化回路
　９　入力切換回路
　１０　画像データ圧縮回路
　１１　画像データ伸長回路
　１５　画像データ転送制御回路
　１６　画像表示装置